(57)【特許請求の範囲】
【請求項１】
薬液吸収材と、薬液を液密的に封止して収納してなる薬液袋とを容器に収納してなる薬液吸収材包装体において、
前記容器は、容器本体と、開封時に容器本体から剥離されるように容器本体に接合された剥離材とを有し、
前記剥離材を剥離するに際し薬液袋が破れ得るように、前記薬液袋が剥離材及び容器本体に接合されていることを特徴とする薬液吸収材包装体。
【請求項２】
前記剥離材及び容器本体の一端に、相互に接合されていない舌片がそれぞれ形成されており、かつ薬液袋に一対の舌片が形成されており、薬液袋の一方の舌片が剥離材の舌片に、他方の舌片が容器本体の舌片に接合されている請求項１に記載の薬液吸収材包装体。
【請求項３】
前記容器本体に、薬液袋を収納する第１の収納凹部と、第１の収納凹部と隔てられておりかつ前記薬液吸収材を収納する第２の収納凹部とが設けられており、第１，第２の収納凹部が前記剥離材で閉成されている請求項１または２に記載の薬液吸収材包装体。
【発明の詳細な説明】
【０００１】
【発明の属する技術分野】
本発明は、例えば綿棒等の薬液吸収材を包装してなる薬液吸収材包装体に関し、より詳細には、薬液吸収材を薬液と共に包装してなり、薬液等による薬液吸収材の汚染や薬液の汚染が使用に先立って生じ難い薬液吸収材包装体に関する。
【０００２】
【従来の技術】
綿棒は、そのまま耳孔や鼻等の掃除に用いられるが、種々の薬液等を含浸させて皮膚等に塗布するためにも用いられる。
【０００３】
綿棒に薬液を含浸させて皮膚に塗布する場合、先ず、綿棒と、薬液の収納されている容器とを用意する。しかる後、綿棒に薬液を滴下したり、あるいは綿棒を薬液に浸漬して、綿棒に薬液を含浸させている。
【０００４】
従って、使用に先立ち、綿棒だけでなく薬液の入った容器をも探さねばならず、かつ上記のような煩雑な含浸作業が必要である。加えて、使用者が、上記のような含浸作業を行わねばならないため、残った薬液が汚染される可能性や、汚染された薬液で逆に綿棒が汚染される可能性があった。すなわち、従来の綿棒は使用状況によっては必ずしも衛生的ではなかった。
【０００５】
そこで、綿棒やガーゼ等の薬液吸収材と、薬液等を予め密封された包装体内に収納してなる薬液吸収材包装体が考えられている。例えば、実開昭５８−１５６６６４号公報には、綿棒等の薬液吸収材を収納してなる包装袋内に、薬液を密封してなる小袋を設けてなる薬液吸収材の包装用シール袋が開示されている。ここでは、外から包装袋を指で押圧して小袋を突き破り綿棒に薬液を含浸させたり、あるいは包装袋内で綿棒を移動させて小袋を突き破り、綿棒に薬液を含浸させたりすることが可能とされている。
【０００６】
しかしながら、上述したような薬液吸収材包装用シール袋では、薬液を収納してなる小袋の破れ易さを、小袋を構成している合成樹脂フィルム等の接着力や剥離力で調整しているが、このような調整が非常に難しかった。また、製造上のばらつきにより予定した接着力や剥離力が得られない。
【０００７】
例えば、薬液を収納してなる小袋が比較的小さな外圧を加えただけで破れる場合には、上記包装用シール袋の保管時や運搬時に加わる圧力により小袋が破れ、包装用シール袋内で薬液が漏洩し、綿棒等が使用に先立ち汚染されることがあった。逆に、上記薬液収納小袋を破り難くした場合には、使用に際して大きな圧力を加えても小袋が破れなくなる。
【０００８】
【発明が解決しようとする課題】
よって、本発明の目的は、使用前の保管時や運搬時に薬液の漏洩が生じ難く、使用時には薬液を確実にかつ所望通りに薬液吸収材に含浸させることができ、さらに、衛生的にかつ簡便に使用し得る薬液吸収材包装体を提供することにある。
【０００９】
【課題を解決するための手段】
請求項１に記載の発明は、薬液吸収材と、薬液を液密的に封止して収納してなる薬液袋とを容器に収納してなる薬液吸収材包装体において、前記容器は、容器本体と、開封時に容器本体から剥離されるように容器本体に接合された剥離材とを有し、前記剥離材を剥離するに際し薬液袋が破れ得るように、前記薬液袋が剥離材及び容器本体に接合されていることを特徴とする薬液吸収材包装体である。
【００１０】
請求項１に記載の発明に係る薬液吸収材包装体では、薬液が容器内に収納されている薬液袋に密封されており、従って、使用前においては薬液吸収材と薬液とが分離されている。使用に際して剥離材を容器本体から剥離すると、薬液袋が剥離材及び容器本体に接合されており、剥離材の剥離に際し薬液袋が破れる。従って、薬液袋内の薬液が漏洩し、薬液吸収材に含浸される。
【００１１】
すなわち、請求項１に記載の発明は、上記薬液袋及び剥離材を設けることにより、使用前の薬液の漏洩を防止しつつ、使用に際して薬液袋を破ることにより薬液吸収材に薬液を確実に含浸されたことに特徴を有する。
【００１２】
また、本発明の薬液吸収材包装体では、好ましくは、請求項２に記載のように、前記剥離材及び容器の一端に、相互に接合されていない舌片が形成されており、かつ薬液袋に一対の舌片が形成されており、薬液袋の一方の舌片が剥離材の舌片に、他方の舌片が容器本体の舌片に接合されている。
【００１３】
請求項２に記載の薬液吸収材包装体では、剥離材及び容器の一端に、相互に接合されていない舌片がそれぞれ形成されているので、剥離材の舌片及び容器の舌片を用いて容易に剥離材を剥離することができる。
【００１４】
さらに、請求項３に記載のように、本発明の特定の局面では、容器本体に、薬液袋を収納する第１の収納凹部と、第１の収納凹部と隔てられておりかつ前記薬液吸収材を収納する第２の収納凹部とが設けられており、第１，第２の収納凹部が前記剥離材で閉成されている。
【００１５】
請求項３に記載の発明では、第１，第２の収納凹部に、それぞれ薬液袋及び薬液吸収材が設けられており、第１，第２の収納凹部が相互に隔てられているため、使用前の薬液の漏洩事故による薬液吸収材の汚染を確実に防止することができる。
【００１６】
【発明の実施の形態】
以下、図面を参照しつつ本発明の薬液吸収材包装体の具体的構造を説明する。
第１の構造例
図１〜図８を参照して、本発明の薬液吸収材包装体の一例を説明する。
図１及び図２に示すように、薬液吸収材包装体１は、上方が開いた形状の容器本体２と、容器本体２の開口を閉成するように取り付けられた剥離材３とからなる容器４を有する。
【００１７】
容器本体２を構成する材料は特に限定されるものではないが、例えば、ポリエチレン、ポリプロピレン、ポリエチレンテレフタレート、ポリ塩化ビニル、ポリ塩化ビニリデン、エチレン−酢酸ビニル共重合体、ポリアクリロニトリル、ポリアミドもしくはポリスチレン等の合成樹脂、アルミニウム箔等の金属または紙等及びこれらの積層体により構成することができる。
【００１８】
容器本体２の上方開口周辺には、図３に分解斜視図で示すようにフランジ部２ａが形成されており、該フランジ部２ａに、剥離材３が接合されている。
また、容器本体２内には、上方に開いた収納凹部２ｂが形成されている。また、収納凹部２ｂに連なるように、綿棒の柄の部分を収納するための溝２ｃが形成されている。
【００１９】
好ましくは、フランジ部２ａは、剥離材３を熱溶着し得る材料で構成されている。この場合、フランジ部２ａを熱溶着可能とし得る限り、容器本体２自体が熱溶着可能な合成樹脂により構成されていてもよく、あるいは上述した金属や紙等の表面に熱溶着性を有する合成樹脂層を積層してフランジ部２ａを熱溶着可能としてもよい。
【００２０】
もっとも、剥離材３は、容器本体２のフランジ部２ａに接着材を用いて接合されていてもよい。あるいは、熱溶着や接着以外に、超音波溶着、高周波溶着等によって剥離材３が容器本体２のフランジ部２ａに接合されていてもよい。
【００２１】
上記容器本体２を構成する材料の厚みは特に限定されるものではないが、通常、１０〜２０００μｍ、好ましくは、３０〜１０００μｍである。１０μｍ未満の場合には容器本体２の保形性が損なわれることがあり、２０００μｍを超えると厚くなりすぎ、コストが増大する。
【００２２】
剥離材３は、収納凹部２ｂ及び溝部２ｃを閉成するために、フランジ部２ａに接合されている。剥離材３を構成する材料についても特に限定されるものではなく、容器本体２を構成する材料として例示したものを適宜用いることができる。もっとも、剥離材３は、容器本体２のフランジ部２ａから容易に剥離し得るものであることが好ましい。従って、剥離材３の厚みは、材料によっても異なるが、通常、５〜１０００μｍ、より好ましくは、１０〜５００μｍ程度とされる。
【００２３】
図３に分離して示すように、薬液袋５は収納凹部２ｂ内に収納されている（図２参照）。薬液袋５を構成する材料についても特に限定されるものではなく、例えば、ポリエチレン、ポリプロピレン、ポリエチレンテレフタレート、ポリ塩化ビニル、ポリ塩化ビニリデン、エチレン−酢酸ビニル共重合体、ポリアクリロニトリル、ポリアミド、ポリスチレン等の合成樹脂、アルミニウム箔等の金属箔等を例示することができる。また、これらの材料の内一種を用いた単層材料で構成してもよく、２種以上の材料を積層してなる積層材で構成してもよい。
【００２４】
好ましくは、薬液袋５は、内部の薬液を確実に維持し得るガスバリア性及び水蒸気バリア性を有する材料で構成される。また、ガスバリア性及び水蒸気バリア性を高めるために、珪素酸化物等の無機物や金属等が薬液袋の表面に蒸着されていてもよい。
【００２５】
なお、薬液袋５を構成する材料の好ましい例としては、ポリエチレン、ポリプロピレン、ポリエチレンテレフタレート等の合成樹脂層と、アルミニウム箔等の金属箔層との積層材を挙げることができ、アルミニウム箔層を合成樹脂層で挟んだ３層以上の積層体を用いることが特に好ましい。
【００２６】
薬液袋５を構成する材料の厚みは、要求されるガスバリア性及び水蒸気バリア性並びに材料によっても異なるが、通常、５〜１０００μｍ、好ましくは１０〜１００μｍ程度とされる。５μｍの場合にはガスバリア性及び水蒸気バリア性が充分でないことがあり、１０００μｍを超えると剥離材を剥離するに際し薬液袋５が破れ難いことがある。
【００２７】
要求されるガスバリア性は、充填される薬液によって異なるため一義的には定めないが、好ましくは、酸素透過度で１５ｍｌ／２４ｈｒ・ｍ2 ・ａｔｍ以下、より好ましくは５ｍｌ／２４ｈｒ・ｍ2 ・ａｔｍ以下であり、特に高いガスバリア性が要求される場合には、１ｍｌ／２４ｈｒ・ｍ2 ・ａｔｍ以下であることが望ましい。
【００２８】
また、水蒸気バリア性についても充填される薬液によって異なるが、水蒸気透過どで１５ｇ／２４ｈｒ・ｍ2 以下が好ましく、より好ましくは５ｇ／２４ｈｒ・ｍ2 以下であり、特に高い水蒸気バリア性が要求される場合には、１ｇ／２４ｈｒ・ｍ2 以下であることが望ましい。
【００２９】
薬液袋５は、指で軽く押圧した程度では破れ難い強度を有するように構成されている。
薬液袋５の形状は、特に限定されるものではない。例えば、球形、直方体状、立方体状、円盤形、ドーナツ形または座布団形等の適宜の形状とすることができる。さらに、薬液袋５は、必ずしもこれらの形状を維持するような保形性を有するものでなくともよい。
【００３０】
さらに、薬液袋５は、合成樹脂シートを三方シールや四方シールすることにより袋状としたものであってもよく、あるいはブロー成形や押出成形等で形成されていてもよい。
【００３１】
薬液袋５の大きさについては、所望量の薬液を充填し得る限り特に限定されるものではないが、好ましくは、袋の断面積が綿棒の綿球部分の断面積の０．５〜４倍程度とされる。０．５倍未満の場合には、袋が垂直方向に大きくなり破りにくく、飛散することがあり、４倍を超えると、広範囲に薬液が分散し綿球に効率的に浸漬しづらいことがあったり、薬液が十分に外に出ず、残存してしまうことがある。
【００３２】
薬液袋５に充填される薬液６については、特に限定されるものではなく、綿棒に含浸させて塗布するのに適した全ての薬液を用いることかできる。また、薬液６は、薬効等を示す主成分の水溶液であってもよく、他の溶媒の溶液であってもよい。さらに、薬液６は、溶液ではなく分散液であってもよい。
【００３３】
薬効等を有する主成分についても特に限定されるものではなく、例えば、消毒薬、キズ薬、かゆみ止め薬、水虫薬等を挙げることができ、その他、洗浄液や化粧液を用いることも可能である。
【００３４】
上記消毒薬の一例としては、ポビドンヨード、グルコン酸クロルヘキシジン、塩化ベンザルコニウム、エタノール等のアルコール類を挙げることができる。また、これらの２種以上を混合することにより併用してもよく、さらに上記薬液６は水性または油性のいずれであってもよい。
【００３５】
薬液６の薬液袋５への充填量についても特に限定されるものではなく、綿棒等の薬液吸収量に合わせて適宜決定すればよい。
もっとも、薬液袋５に充填される薬液６の量が多すぎると、開封時に余剰の薬液が飛散し、溢れ落ちたりし、使用されない薬液量が多くなり、コストも高くつくことになる。逆に、薬液６の量が少なすぎると、充分な量の薬液が綿棒に含浸されず、皮膚等の表面に薬液を充分に適用することができないことがある。従って、薬液袋５に収納する薬液６の量は、好ましくは、綿棒等の最大薬液吸収量の０．５〜５倍、より好ましくは、１〜３倍とされる。
【００３６】
なお、薬液６には、色素等を添加して着色し、それによって内容物の確認を容易としてもよい。この場合には、容器本体２及び剥離材３についても、内部をし認し得るように透明性を有する材料で構成することが望ましい。
【００３７】
薬液袋５は、図３に示す例では、両面の薬液袋構成材を貼り合わせてなるフランジ部５ａを有する。フランジ部５ａは、上述した剥離材３及び容器本体２に接合されている。この接合状態を、図５の略図的拡大平面図を参照して説明する。フランジ部５ａにおいては、図５に交差しているハッチング領域５ａ1 において、薬液袋は、容器本体２のフランジ部２ａに熱溶着されている。他方、図５の斜線のハッチングで示す領域５ａ2 , ５ａ3 においては、薬液袋５は、剥離材３に溶着されている。なお、薬液袋５の容器本体２及び剥離材３への接合部分は、図５に示した例に限られず、後述するように剥離材３を剥離するに際し薬液袋５が破れ得る限り、適宜の接合構造を採用することができる。
【００３８】
図１及び図２に戻り、容器本体２内には、綿棒７が収納されている。綿棒７は、柄７ａの先端に綿球７ｂが設けられた構造を有し、従来から綿棒として慣用されている適宜のものを用いることができる。なお、綿棒７に代えて、ガーゼ等の他の薬液吸収材を用いてもよい。
【００３９】
綿棒７の綿球７ｂは、薬液を吸収し、かつ皮膚等に塗布し得るものであれば、その材料は特に限定されるものではない。例えば、脱脂綿、絹、ウール、レーヨン、ポリエステル、アクリル、ナイロン、ポリオレフィン等からなるものを挙げることができ、これらの２種以上を混合したものであってもよい。形状も特に限定されるものではなく、例えば、球形、円筒形、平板形等の適宜の形状とすることができる。もっとも、球形の変形体として断面形状は楕円のものが従来より慣用されており、これを用いてもよい。また、綿球７ｂは、繊維を巻き付けたもの、帯状の不織布をロール状に巻き付けたもの、型抜きされた一体ものや成形品であってもよい。
【００４０】
綿球７ｂの大きさについても特に限定されるものではなく、所望量の薬液を皮膚に塗布し得る限り適宜の大きさとし得る。消毒薬の場合には、好ましくは、長さ１０〜３０ｍｍ、最大径３〜２０ｍｍ、重量０．０１〜０．３ｇ程度とされ、それによって皮膚表面の消毒に好適に用いることができる。
【００４１】
綿棒７の柄７ａについても、材質、形状及び大きさ等については、使用に際し指で保持し得る限り特に限定されるものではない。例えば、ポリエチレン、ポリプロピレン、ポリエチレンテレフタレート、紙、木、アルミニウム等の金属等を挙げることができる。形状については、例えば、円柱状、楕円柱状、角柱状等を挙げることができる。柄７ａの大きさについては、作業をよいとするためには、好ましくは、２０〜２００ｍｍの長さ、１〜５ｍｍ径のものが用いられる。
【００４２】
上記綿棒７は、綿球７ｂを固定するための滑り止めを施したものであってもよい。また、綿球７ｂと柄７ａは通常接着材を用いて固定されているが、熱溶着や一体成形で形成されていてもよい。また、綿球７ｂと柄７ａとの固定方法はこれらに限定されるものでもない。
【００４３】
綿球７ｂが繊維を巻き付けたような繊維集合体の場合には、表面のけば立ちを防止するため、あるいは繊維の抜け落ちを防止するために、表面を、例えば、カルボキシメチルセルロース等の接着材等によってコーティングしておいてもよい。
本構造例では、綿球７ｂが収納凹部２ｂ内に位置するように、綿棒７が容器本体２内に配置されている。
【００４４】
上記のように、薬液吸収材包装体１では、使用前においては薬液袋５が薬液６を液密的に封止しており、薬液吸収材包装体１内において綿棒７と分離されている。また、薬液袋５は、指で押圧することにより破り、薬液６を漏洩させるものではないため、保管時や運搬時に外力が加わったとしても、そのような外力では薬液６が漏洩する恐れが少ない。
【００４５】
使用に際しては、図１に示した薬液吸収材包装体１において、剥離材３を容器本体２から剥離する。この場合、剥離材３を容器本体２のフランジ部２ａから剥離した場合、薬液袋５が破られ、薬液６が漏洩することになり、下方の綿棒７の綿球７ｂに薬液６が含浸される。これを図６〜図８を参照してより具体的に説明する。
【００４６】
図６に示すように剥離材３が剥離されていくと、薬液袋５の周辺部すなわち図５の領域５ａ2 , ５ａ3 において薬液袋５の一部が剥離材３側に付着して破り取られる（図７参照）。すなわち、残った部分は、図８に示すとおりとなる。従って、内部に収納されていた薬液６が漏洩する。図５を参照して説明したように、薬液袋５は、領域５ａ2 , ５ａ3 において剥離材３に接合されており、領域５ａ1 において容器本体２に接合されている。従って、容器本体２から剥離材３を剥離していくと、薬液袋５が容器本体２に接合されているため、領域５ａ2 , ５ａ3 において薬液袋５が破れ、薬液６が漏洩する。
【００４７】
領域５ａ1 における薬液袋５の容器本体２に対する接合強度は、領域５ａ2 , ５ａ3 における剥離材３との接合強度よりも大きいことが望ましい。もっとも、この接合強度については、領域５ａ1 ，５ａ2 , ５ａ3 の面積によっても異なるため、単純に単位面積あたりの接合強度を高くすればよいものではない。すなわち、後述の使用方法の説明から明らかなように、剥離材３を容器本体２から剥離するに際し、薬液袋５が領域５ａ1 において容器本体２に対して接合された状態のまま、領域５ａ2 , ５ａ3 を起点として薬液袋５が破れるように設定されておればよい。
【００４８】
上記のように本構造例に係る薬液吸収材包装体１では、使用に際しては、剥離材３を容器本体２のフランジ部２ａから剥離していくだけで、確実に薬液袋５が破れ、薬液６が綿球７ｂに含浸される。しかも、薬液袋５は、収納凹部２ｂ内において確実に破れることになるため、漏洩した薬液が綿棒７の柄の部分７ａを汚染することもない。
【００４９】
なお、薬液袋５の容器本体２及び剥離材３への接合部分は、図４に示すように変形してもよい。ここでは、突起５ｄが薬液袋５に形成されており、突起５ｄ及び領域５ｄ1 （斜線のハッチングを付した領域）が剥離材３に接合され、その他の部分で容器本体２に接合されている。剥離材３を剥離しつつある状態を図示しているが、これは、上記接合部分を示すために、あえて剥離材３の一部を剥離して図示しているだけである。
【００５０】
第２の構造例
図９及び図１０は、本発明の薬液吸収材包装体の第２の構造例を説明するための平面図及び斜視図である。図９（ａ）〜（ｃ）に示すように、本構造例では、薬液吸収材包装体１１は、容器本体１２及び剥離材１３により容器１４が構成されている。この容器１４を構成する材料については、図１に示した薬液吸収材包装体の容器本体２及び剥離材３と同様のものを用いることができる。異なるところは、本構造例では、容器本体１２の一端に、舌片１２ｄが形成されており、剥離材１３にも、一端に舌片１３ａが形成されていることにある。また、薬液袋１５においても、舌片１５ａ，１５ｂが形成されている。舌片１５ａは剥離材１３の舌片１３ａに接合されており、舌片１５ｂは容器本体１２に設けられた舌片１２ｄに接合されている。
その他の点は、図１に示した薬液吸収材包装体と同様であるため、その詳細な説明は省略する。
【００５１】
図１０に示した薬液吸収材包装体１１では、上記剥離材１３を剥離するに際し、片方の手の指で容器本体１２の舌片１２ｄをつかみ、他方の手の指で剥離材１３の舌片１３ａをつかみ、そのまま剥離材１３を剥離すればよい。この場合、容器本体１２及び剥離材１３に舌片１５ａ，１５ｂにおいてそれぞれ接合されているため、上記剥離に伴って、薬液袋１５が破れ、内部の薬液（図示せず）が綿棒７の綿球７ｂに確実に含浸される。
【００５２】
すなわち、薬液吸収材包装体１１では、上記舌片１２ｄ，１３ａ，１５ａ，１５ｂを設けたことにより、剥離に際して薬液袋１５を破る作業を、容易にかつ確実に行うことができる。
【００５３】
第３の構造例
図１１〜図１３は、本発明の薬液吸収材包装体の第３の構造例を示す各断面図である。
【００５４】
薬液吸収材包装体２１は、容器本体２２が、第１，第２の収納凹部２２ａ，２２ｂを有する点において、図１に示した薬液吸収材包装体１の容器本体２と異なる。第１，第２の収納凹部２２ａ，２２ｂは、図１１に示すように互いに分離されており、剥離材２３により上方開口が閉成されている。
【００５５】
第１の収納凹部２２ａには薬液袋２５が収納されており、第２の収納凹部２２ｂには綿棒７の綿球７ｂが配置されている。
また、第１の収納凹部２２ａは、綿棒７の柄７ｂに対し、第２の収納凹部２２ｂを挟んで反対側に配置されている。
【００５６】
さらに、薬液袋２５は、その両面において剥離材２３に接合されており、かつ第１，第２の収納凹部２２ａ，２２ｂ間の容器本体部分２２ｃに接合されている。
【００５７】
従って、薬液吸収材包装体２１において、剥離材２３を剥離した場合、図１２及び図１３に示すように、剥離が進行するにつれて、薬液袋２５が剥離材２３と共に第１の収納凹部２２ａから外側に引っ張り上げられる。しかる後、剥離材２３をさらに剥離していくと、薬液袋２５と剥離材２３との接合部分が破れ、内部の薬液が第２の収納凹部２２ｂ内の綿球７ｂに漏洩する。
【００５８】
よって、薬液吸収材包装体２２では、第１，第２の収納凹部２２ａ，２２ｂが隔てられており、かつそれぞれに、薬液袋２５及び綿球７ｂが収納されて隔てられているため、使用前に大きな圧力が加わって薬液袋２５が例え破れたとしても、薬液によって綿棒７が汚染される恐れが殆ど生じない。よって、使用前の綿棒の汚染を、より一層確実に防止することができる。
【００５９】
また、使用に際しては、上述したとおり、剥離材２３を剥離していくだけで、第１，第２の構造例の場合と同様に薬液袋２５を破ることにより、薬液を綿棒７の綿球７ｂに確実に含浸させることができる。
【００６０】
第４の構造例
図１４は、本発明の薬液吸収材包装体の第４の構造例を説明するための斜視図である。図１に示した薬液吸収材包装体１では、１本の綿棒７が収納されていたが、図１４に示す薬液吸収材包装体（剥離材は図示せず）は、２本の綿棒７，７を収納した構造を有する。すなわち、容器本体３２には、綿棒７，７を収納するための溝部３２ａ，３２ｂが形成されている。このように、本発明に係る薬液吸収材包装体では、複数本の綿棒が１つの包装体内に配置されていてもよい。
【００６１】
この場合、異なった薬液を充填してもよい。これは収納された全ての綿棒に対して適当な薬液を選択して含浸させるものでも、それぞれの薬液に対応した綿棒が備わっており、他の薬液と混ざらないように綿棒に含浸させるようにしたものでもよい。また、容器は個々が独立したものでも、２個以上の容器を連結したものであってもよい。
【００６２】
【発明の効果】
請求項１に記載の発明によれば、薬液袋が剥離材及び容器本体に接合されており、剥離材を剥離するに際し薬液袋が破れ得るように構成されているので、使用にさいしては剥離材を容器本体から剥離する作業を施すだけで、薬液袋が破れ薬液吸収材に薬液を含浸させることができる。
【００６３】
また、使用前においては、容器本体内において、薬液吸収材と薬液袋とが分離されて収納されており、薬液袋は外圧により突き破り薬液を漏洩させる構造を有するものではないため、運搬時や保管時に外力が加わったとしても薬液袋が破れて薬液が漏洩する恐れが少ない。従って、使用前における薬液吸収材の汚染が生じ難い。よって、衛生的にかつ簡便に使用し得る薬液吸収材包装体を提供することが可能となる。
【００６４】
また、好ましくは、上記剥離材及び容器本体の一端に、相互に接合されていない舌片をそれぞれ形成した場合には、剥離材の舌片と容器本体の舌片とを手で把持し、両者を遠ざけるようにして剥離材を剥離すればよいため、剥離作業を容易に行うことができる。さらに薬液袋にも一対の舌片を形成し、一方の舌片を剥離材に設けられた舌片に、他方の舌片を容器本体に設けられた舌片に接合した場合には、上記剥離作業を容易に行うことができるだけでなく、剥離に際して薬液袋をより確実に破ることができる。
【００６５】
さらに、請求項３に記載のように、容器本体に、薬液袋を収納する第１の収納凹部と、第１の収納凹部と隔てられており、かつ薬液吸収材を収納する第２の収納凹部とを設け、第１，第２の収納凹部が剥離材で閉成されている構造とした場合には、使用前に大きな圧力が加わり、薬液袋が例え破裂したとしても、薬液吸収材は第１の収納凹部と隔てられた第２の収納凹部に収納されているので、薬液吸収材の汚染の確実に防止することができる。
【図面の簡単な説明】
【図１】本発明に係る薬液吸収材包装体の第１の構造例を示す斜視図。
【図２】図１に示した薬液吸収材包装体の縦断面図。
【図３】本発明の薬液吸収材包装体の第１の構造例における容器本体と薬液袋とを説明するための分解斜視図。
【図４】本発明の薬液吸収材包装体の第１の構造例において剥離材を剥離している状態を説明するための斜視図。
【図５】本発明の薬液吸収材包装体の第１の構造例において薬液袋が容器本体及び剥離材に接合されている領域を説明するための略図的拡大平面図。
【図６】本発明に係る薬液吸収材包装体の第１の構造例において剥離材を剥離する行程において薬液袋が破れた状態を説明するための部分切欠断面図。
【図７】本発明に係る薬液吸収材包装体において薬液袋が破れて薬液が綿棒の綿球に含浸した状態を説明するための部分切欠拡大断面図。
【図８】薬液袋が破れた場合の薬液袋の形状を説明するための略図的拡大平面図。
【図９】（ａ）〜（ｃ）は、本発明の薬液吸収材包装体の第２の構造例に用いられる剥離材、薬液袋及び容器本体の各平面図。
【図１０】本発明の薬液吸収材包装体の第２の構造例を説明するための斜視図。
【図１１】本発明の薬液吸収材包装体の第３の構造例を説明するための断面図。
【図１２】本発明の薬液吸収材包装体の第３の構造例において剥離材を剥離し薬液袋を破る行程を説明するための断面図。
【図１３】本発明の薬液吸収材包装体の第３の構造例において、剥離材を剥離し薬液を綿棒の綿球部に含浸させる行程を説明するための断面図。
【図１４】本発明の薬液吸収材包装体の第４の構造例を説明するための斜視図。
【符号の説明】
１…薬液吸収材包装体概要
２…容器本体概要
３…剥離材
４…容器
５…薬液袋
６…薬液
７…綿棒
７ａ…柄
７ｂ…綿球
１１…薬液吸収材包装体
１２…容器本体
１３…剥離材
１２ｄ…舌片
１３ａ…舌片
１５ａ，１５ｂ…舌片
２１…薬液吸収材包装体
２２…容器本体
２３…剥離材
３２…容器本体
【図１】
0003759790.tif 000002
【図２】
0003759790.tif 000003
【図３】
0003759790.tif 000004
【図４】
0003759790.tif 000005
【図５】
0003759790.tif 000006
【図６】
0003759790.tif 000007
【図７】
0003759790.tif 000008
【図８】
0003759790.tif 000009
【図９】
0003759790.tif 000010
【図１０】
0003759790.tif 000011
【図１１】
0003759790.tif 000012
【図１２】
0003759790.tif 000013
【図１３】
0003759790.tif 000014
【図１４】
0003759790.tif 000015